(57)【要約】【課題】安全性を十分に保障した状態でバッテリ駆動の電子機器に外部電源の電力供給を行う電源プレートを提供する。【解決手段】バッテリから出力されるバッテリの識別情報に基づいて電力供給を制御する電子機器４０のバッテリ収納部に収納されるプレート本体２と、一端がプレート本体と接続され、他端がバッテリ収納部の導出孔からこの電子機器４０本体外部に導出されるとともに電源と接続されるコネクタが形成されたケーブルとからなり、電源プレートのコネクタと接続された電源の電力を電子機器２へ供給する電源プレートにおいて、プレート本体２は、記憶媒体６１に記憶されたこの電源プレートの識別情報を読み出して、このプレート本体２が収納された電子機器４０に出力し、出力した電源プレートの識別情報に基づいて電子機器４０に電力供給の制御をさせる情報出力部６０を有する。【選択図】  図１４
2008146166.tif 000002
【特許請求の範囲】
【請求項１】
バッテリ収納部に収納されたバッテリから出力されるバッテリの識別情報に基づいて電力供給を制御する電子機器と、
上記電子機器のバッテリ収納部に収納されるプレート本体と、一端が上記プレート本体と接続され、他端が上記バッテリ収納部の導出孔からこの電子機器外部に導出されるとともに電源と接続されるコネクタが形成されたケーブルとからなる電源プレートとを備え、
上記電源プレートのコネクタと接続された電源の電力を上記電子機器へ供給する電力供給システムにおいて、
上記電源プレートのプレート本体は、記憶媒体に記憶された電源プレートの識別情報を読み出して、このプレート本体が収納された上記電子機器に出力する情報出力部を有し、
上記電子機器は、上記本体プレートの情報出力部から出力される電源プレートの識別情報及び上記バッテリから出力されるバッテリの識別情報に基づいて、上記バッテリと上記プレート本体とのいずれか一方が上記バッテリ収納部に収納されたかの認証を行う認証処理部と、上記認証処理部の認証結果に応じて、上記バッテリ及び上記電源プレートのいずれか一方から供給される電力を制御する制御部とを有する電力供給システム。
【請求項２】
上記電子機器は、画像を表示する表示部が設けられた電子機器であって、
上記電子機器の制御部は、上記認証処理部により上記バッテリ収納部に上記プレート本体が収納されたと認証されたときに、上記表示部の表示出力の明度値、及び彩度値のうち少なくとも一の値を、このバッテリ収納部に上記バッテリが収納されたときよりも高く設定して、上記表示部に画像を表示させることを特徴とする請求項１記載の電力供給システム。
【請求項３】
上記電子機器は、バッテリの残電力量情報を表示可能な表示部が設けられた電子機器であって、
上記電子機器の制御部は、上記認証処理部により上記バッテリ収納部に上記プレート本体が収納されたと認証されたときに、上記表示部に上記バッテリの残電力量情報を表示させないことを特徴とする請求項１記載の電力供給システム。
【請求項４】
上記電子機器は、所定の待機時間内にこの機器に操作入力がないときにこの機器の駆動を停止する停止制御手段が設けられた電子機器であって、
上記電子機器の制御部は、上記認証処理部により上記バッテリ収納部に上記バッテリが収納されたと認証されたときに、上記停止制御手段の動作を有効にし、上記認証処理部により上記バッテリ収納部に上記プレート本体が収納されたと認証されたときに、上記停止制御手段の動作を無効にすることを特徴とする請求項１記載の電力供給システム。
【請求項５】
上記プレート本体には、上記ケーブルの一端を保持する保持部と、この保持部より上記プレート本体の外周方向に向かって形成され、上記電子機器に形成された導出孔の位置に応じて上記ケーブルの導出方向を変える複数の導出路が設けられていることを特徴とする請求項１に記載の電力供給システム。
【請求項６】
バッテリから出力されるバッテリの識別情報に基づいて電力供給を制御する電子機器のバッテリ収納部に収納されるプレート本体と、一端が上記プレート本体と接続され、他端が上記バッテリ収納部の導出孔からこの電子機器本体外部に導出されるとともに電源と接続されるコネクタが形成されたケーブルとからなり、上記コネクタと接続された電源の電力を上記電子機器へ供給する電源プレートにおいて、
上記プレート本体は、記憶媒体に記憶されたこの電源プレートの識別情報を読み出して、このプレート本体が収納された上記電子機器に出力し、上記出力した電源プレートの識別情報に基づいて上記電子機器に電力供給の制御をさせる情報出力部を有する電源プレート。
【請求項７】
バッテリ収納部に収納されたバッテリから出力されるバッテリの識別情報に基づいて電力供給を制御する電子機器において、
電源に接続されるコネクタと、上記電子機器のバッテリ収納部に収納されるプレート本体とをケーブルを介して接続された電源プレートから出力される電源プレートの識別情報と、上記バッテリから出力されるバッテリの識別情報とに基づいて、上記バッテリと上記プレート本体とのいずれか一方が上記バッテリ収納部に収納されたかの認証を行う認証処理部と、
上記認証処理部の認証結果に応じて、上記バッテリ及び上記電源プレートのいずれか一方から供給される電力を制御する制御部とを備える電子機器。
【発明の詳細な説明】
【技術分野】
【０００１】
本発明は、バッテリによって駆動する電子機器のバッテリ収納部に収納可能なプレート本体に接続されたケーブルを介して電力を供給する電力供給システム、この電力供給システムを構成する電源プレート、及びこの電源プレートからの供給電力によって駆動される電子機器に関するものである。
【背景技術】
【０００２】
従来より、乾電池などの一次電池や、リチウムイオンバッテリなどの二次電池を用いるデジタルカメラなどの電子機器には、電池収納部内に一次電池やバッテリに代えて家庭電源の電力を電池収納部内に設けられた端子から供給する電源プレートが用いられ、家庭内や店頭展示などでの長時間使用に供されている（特許文献１）。
【０００３】
さらに、このような電子機器の中には、従来から、リチウムイオンバッテリと電源プレートとの形状を統一させて、リチウムイオンバッテリと電源プレートとが共用して収納可能な収納部を有するものが提案されている。このような共用の収納部を備える電子機器は、バッテリ収納部以外の筐体部分に直流電源入力端子を設ける必要がないため、筐体の小型化やコストダウンなどを実現することができる。
【０００４】
このような共用の収納部を備える電子機器では、電源プレートのプレート本体及びバッテリのいずれか一方が収納されたかを判別する必要がある。この共用収納部にバッテリ又は電源プレートのどちらかが収納されたかを電子機器側が判別するため、従来から次のような方法がある。
【０００５】
第１の方法は、バッテリと電源プレートとに、それぞれの筐体に互いを識別するための判別溝を設けることである。このような判別溝を設けることで、電子機器は、その共用収納部に、バッテリ又は電源プレートが収納されたときのみにおいて押圧されるスイッチを設けることで、バッテリ又は電源プレートが収納されたことが判断できる。
【０００６】
第２の方法は、バッテリと電源プレートとの出力端子の配置位置をそれぞれ異なるものとすることである。このように、これらの出力端子の配置位置に対応して、電子機器の共用収納部の入力端子位置を配置することで、バッテリ又は電源プレートが収納されたことが判断できる。
【０００７】
また、デジタルスチルカメラなどの電子機器と、この電子機器へ電力を供給するバッテリとの間では、従来からバッテリが、特定の電子機器に対応する正規品であるか否かの認証を行っている。これは、正規品でないバッテリの中に過放電や過電流などを防止する保護回路を備えていないものがあるからである。
【０００８】
このため、従来から正規品の専用バッテリには、電力供給用の正極及び負極端子に加えて、そのバッテリの識別情報などを出力する情報出力端子を備えている。そして、このような電子機器は、専用バッテリの情報出力端子から出力されるバッテリの識別情報に基づいて、装着されたバッテリが正規品であるか否かの認証処理を行っている。
【０００９】
また、携帯型電子機器と、この携帯型電子機器へ電力を供給するバッテリとの間では、従来からバッテリが、特定の携帯型電子機器に対応する正規品であるか否かの認証を行っている。これは、正規品でないバッテリの中に、過放電や過電流などを防止する保護回路を備えていないものがあるからである。
【００１０】
このため、従来から、正規品である専用バッテリには、電力供給用の正極端子及び負極端子に加えて、そのバッテリの識別情報などを出力する情報出力端子を備えている。そして、携帯型電子機器は、情報出力端子から出力されるバッテリの識別情報に基づいて、装着されたバッテリが専用バッテリであるか否かの認証処理を行っている。
【００１１】
【特許文献１】特開２００６―２２９３５７号公報
【発明の開示】
【発明が解決しようとする課題】
【００１２】
従来の電子機器では、共用収納部に電源プレートが収納されたことを、識別溝や出力端子の配置位置などで判断している。ここで、仮に電源プレートの識別溝や出力端子の配置位置に適合した構造を有するバッテリが、電子機器の共用収納部に収納されると、電源側では電源プレートが収納されたものと判断して、このバッテリから電力供給を行うこととなる。すなわち、電子機器は、その共用収納部に、正規品でないバッテリが収納されても、電源プレートが収納されたものと判断してしまう。このため、電子機器の共用収納部の形状に専用性を施すだけでは、収納されたバッテリが正規品であるか否かの認証を精度良く行うことができない。
【００１３】
本発明は、このような実情に鑑みて提案されたものであり、正規品であるか否かの認証をより精度良く行い、バッテリ駆動の電子機器に外部電源の電力を供給する電力供給システム、電源プレート、及び電子機器を提供することを目的とする。
【課題を解決するための手段】
【００１４】
上述した課題を解決するための手段として、本発明は、バッテリ収納部に収納されたバッテリから出力されるバッテリの識別情報に基づいて電力供給を制御する電子機器と、上記電子機器のバッテリ収納部に収納されるプレート本体と、一端が上記プレート本体と接続され、他端が上記バッテリ収納部の導出孔からこの電子機器外部に導出されるとともに電源と接続されるコネクタが形成されたケーブルとからなる電源プレートとを備え、上記電源プレートのコネクタと接続された電源の電力を上記電子機器へ供給する電力供給システムにおいて、上記電源プレートのプレート本体は、記憶媒体に記憶された電源プレートの識別情報を読み出して、このプレート本体が収納された上記電子機器に出力する情報出力部を有し、上記電子機器は、上記本体プレートの情報出力部から出力される電源プレートの識別情報及び上記バッテリから出力されるバッテリの識別情報に基づいて、上記バッテリと上記プレート本体とのいずれか一方が上記バッテリ収納部に収納されたかの認証を行う認証処理部と、上記認証処理部の認証結果に応じて、上記バッテリ及び上記電源プレートのいずれか一方から供給される電力を制御する制御部とを有する。
【００１５】
また、本発明は、バッテリから出力されるバッテリの識別情報に基づいて電力供給を制御する電子機器のバッテリ収納部に収納されるプレート本体と、一端が上記プレート本体と接続され、他端が上記バッテリ収納部の導出孔からこの電子機器本体外部に導出されるとともに電源と接続されるコネクタが形成されたケーブルとからなり、上記コネクタと接続された電源の電力を上記電子機器へ供給する電源プレートにおいて、上記プレート本体は、記憶媒体に記憶されたこの電源プレートの識別情報を読み出して、このプレート本体が収納された上記電子機器に出力し、上記出力した電源プレートの識別情報に基づいて上記電子機器に電力供給の制御をさせる情報出力部を有する。
【００１６】
また、本発明は、バッテリ収納部に収納されたバッテリから出力されるバッテリの識別情報に基づいて電力供給を制御する電子機器において、電源に接続されるコネクタと、上記電子機器のバッテリ収納部に収納されるプレート本体とをケーブルを介して接続された電源プレートから出力される電源プレートの識別情報と、上記バッテリから出力されるバッテリの識別情報とに基づいて、上記バッテリと上記プレート本体とのいずれか一方が上記バッテリ収納部に収納されたかの認証を行う認証処理部と、上記認証処理部の認証結果に応じて、上記バッテリ及び上記電源プレートのいずれか一方から供給される電力を制御する制御部とを備える。
【発明の効果】
【００１７】
本発明は、電子機器のバッテリ収納部にプレート本体が収納された電源プレートから出力される電源プレートの識別情報に基づいて、バッテリ及び電源プレートのいずれか一方がバッテリ収納部に収納されたかの認証を行い、この認証結果に応じて、電力の供給を制御するので、電子機器に接続されるバッテリ及び電源プレートが正規品であるか否かの認証を精度良く行うことができる。
【発明を実施するための最良の形態】
【００１８】
以下、本発明が適用された電源プレートについて、図面を参照しながら詳細に説明する。本発明が適用された電源プレートは、電子機器のバッテリ収納部に収納される二次電池と形状や大きさが略同一とされ、二次電池に換えてバッテリ収納部に収納されて用いられるものである。本実施形態では、まず、本発明が適用された電源プレートの形状の一例について説明する。続いて、本実施形態では、電源プレートと、この電源プレートのプレート本体が収納されて電力供給が行われる電子機器との間で行われる認証処理について説明する。
【００１９】
＜電源プレートの形状について＞
電源プレート１は、図１に示すように、全体を矩形平板状に形成されたプレート本体２と、プレート本体２より引き出され電源と接続されるケーブル３とを有する。ケーブル３の先端には、ＡＣ／ＤＣコンバータ４と接続される接続コネクタ５が形成されている。
【００２０】
そして電源プレート１は、図２に示すように、接続コネクタ５を介してＡＣ／ＤＣコンバータ４に接続されるとともに、ＡＣ／ＤＣコンバータ４に家庭内などにあるコンセントに接続されるコード６が接続されることにより、電源と接続される。これにより電源プレート１は、家庭用電源から電子機器側に電力を供給することができ、バッテリの残電力量を気にすることなく連続して電子機器を駆動させることができる。
【００２１】
この電源プレート１のプレート本体２は、図３〜図５に示すように、上下一対のハーフ１０，１１を突き合わせ結合されることにより略矩形平板状に形成されている。上ハーフ１０は、電子機器側のバッテリ収納部４１への挿入端となる前面壁１０ａが形成され、この前面壁１０ａには、バッテリ収納部４１内に設けられている電子機器側の電源端子と接触する正極端子部３１、負極端子部３２及び情報伝達用の端子部３３を前面側に臨ませる複数の端子孔１２がそれぞれ形成されている。また上ハーフ１０は、両側面の背面側が厚さ方向に立ち上がることにより薄く形成され、後述するケーブル３の導出領域２４を構成している。なお上ハーフ１０は、下方に向かって図示しないボスが立設され、下ハーフ１１側から挿通されたネジ１３が螺合されることにより下ハーフ１１と接続される。
【００２２】
また下ハーフ１１は、電源と接続されるケーブル３を挟持して保持する保持部１５と、ケーブル３の導出方向を規制する導出路１６が設けられた導出部１７とが形成されている。また、下ハーフ１１は、上ハーフ１０と同様にバッテリ収納部への挿入端となる前面壁１１ａが形成され、ケーブル３の導線と接続された正極タブ１８及び負極タブ１９が挿通されるとともに、正極端子部３１、負極端子部３２及び情報端子部３３がそれぞれ形成された端子板２０を支持している。
【００２３】
ケーブル３を保持する保持部１５は、下ハーフ１１の主面の略中央部に設けられ、相対向して立設されたコ字状の支持壁２２，２２を有し、ケーブル３の外周部に嵌合された嵌合片２３が、支持壁２２，２２間に挟持されて形成されている。保持部１５は、嵌合片２３が支持壁２２，２２に挟持されることにより、ケーブル３をプレート本体２内に保持し、引っ張り等の外力に対してもケーブル３の抜けや切断などを防止する。
【００２４】
導出部１７は、プレート本体２の背面側に設けられ、保持部１５に保持されたケーブル３の導出方向を規制するものである。この導出部１７は、図３及び図４に示すように、下ハーフ１１の背面壁１１ｂよりも背面側が主面部よりも低く形成されることにより、背面壁１１ｂから引き出されたケーブル３が外部に導出される導出領域２４が設けられ、この導出領域２４に形成される。具体的に、導出部１７は、下ハーフ１１の背面壁１１ｂに開口された開口部２５より引き出されたケーブル３を、プレート本体２の背面側の両角部２ａ，２ｂの何れか一方に分岐させる分岐部２６が形成されている。
【００２５】
開口部２５は、背面壁１１ｂの略中央が前面壁１１ａ側に向かって略Ｖ字状に形成され、その最も前面側に形成されている。開口部２５からは、保持部１５に保持されたケーブル３が導出領域２４に導出される。
【００２６】
また、分岐部２６は、下ハーフ１１の背面壁１１ｂよりもさらに背面側に形成され、略三角形状をなしその頂部が開口部２５と対峙されている。また分岐部２６は、頂部より一方の斜面がプレート本体２の背面側の一方の角部２ａに向かって形成され、他方の斜面がプレート本体２の背面側の他方の角部２ｂに向かって形成されている。なお、分岐部２６は、三角形状の底辺が下ハーフ１１の背面側の側縁となり、上ハーフ１０と接合されることにより、該上ハーフ１０の背面壁と連続される。
【００２７】
これにより導出部１７は、分岐部２６の斜面と下ハーフ１１の背面壁１１ｂとで、ケーブル３をプレート本体２の背面側の角部２ａ，２ｂの何れか一方に導出させる導出路１６ａ，１６ｂが形成される。そして導出部１７は、開口部２５より外方に引き出されたケーブル３を分岐部２６を介して導出路１６ａ，１６ｂの何れか一方に規制し、プレート本体２の背面側の角部２ａ，２ｂの何れかより導出させることができる。
【００２８】
なお、ケーブル３は、可撓性を有するため、保持部１５に保持された状態でも、開口部２５より先に導出された部分は、導出部１７によって左右いずれにも方向を換えることができる。そしてケーブル３は、導出部１７に導出方向を規制されることにより、図５に示すように、プレート本体２の背面側の一方の角部２ａと、略９０°移動させた他方の角部２ｂとにおいて、導出でき、また両角部２ａ，２ｂにおいてプレート本体２の背面方向や側方、斜め方向など、自在に導出できる。
【００２９】
また導出路１６には、ケーブル３を挟持する挟持片２７ａ、２７ｂが立設されている。挟持片２７ａ、２７ｂは、分岐部２６によって導出方向が規制されたケーブル３を挟持することにより、ケーブル３の揺動を防止するものであり、各導出路１６ａ，１６ｂに設けられている。挟持片２７ａ、２７ｂは、図６に示すように、分岐部２６の両側壁２６ａ，２６ｂにそれぞれ設けられた第１の挟持片２７ａと、背面壁１１ｂの分岐部２６の両側壁２６ａ，２６ｂと対峙する位置にそれぞれ設けられた第２の挟持片２７ｂとを有し、これら第１，第２の挟持片２７ａ，２７ｂとが相対向して立設されている。
【００３０】
第１の挟持片２７ａは、下ハーフ１１の導出領域２４より立設され、上方には第２の挟持片２７ｂ側に向かって膨出することによりケーブル３の抜け止めを図る膨出部２８が形成されている。また第１の挟持片２７ａは、分岐部２６の側壁２６ａに第１の挟持片２７ａを囲むように凹部が形成されることにより、揺動可能に形成されている。第２の挟持片２７ｂは、背面壁１１ｂより第１の挟持片２７ａ側に膨出する膨出部２９が形成されている。
【００３１】
そして第１の挟持片２７ａは、撓んでケーブル３が圧入されることにより、これを挟持する。第１の挟持片２７ａに挟持されることにより、ケーブル３は、揺動することなくプレート本体２の背面側の角部２ａ，２ｂの何れか一方に導出される。
【００３２】
下ハーフ１１の前面壁１１ａには、正極タブ１８及び負極タブ１９が挿通、保持される挿通孔が形成されている。前面壁１１ａに保持される正極タブ１８及び負極タブ１９は、ニッケル（Ｎｉ）等の金属薄板からなり、下ハーフ１１内に配設されケーブル３の正極導線又は負極導線と接合される接合板部１８ａ，１９ａと、前面壁１１ａの挿通孔を介して前面側に突出され、端子板２０と溶接される溶接板部１８ｂ，１９ｂとを有する。各溶接板部１８ｂ，１９ｂは、端子板２０と接合された後、前面壁１１ａの挿通孔にガイドされて前面壁１１ａに沿うように約９０°に折り曲げられ、端子板２０を前面壁１１ａに当接させる。
【００３３】
また下ハーフ１１の前面壁１１ａには前面側に端子板２０を支持する支持凹部３０が形成されている。支持凹部３０は、端子板２０が前面壁１１ａの側縁部に当接されると、端子板２０に実装されている半導体チップや、正極タブ１８及び負極タブ１９が溶接された溶接板が位置される。
【００３４】
前面壁１１ａに支持される端子板２０は、いわゆるリジット配線基板であり、前面側には上ハーフ１０の端子孔１２より外方に臨まされる正極端子部３１、負極端子部３２及び情報端子部３３が形成されている。正極端子部３１は、基板に形成された配線パターンにより背面側に設けられた溶接板を介して正極タブ１８と接続され、負極端子部３２は、同様に負極タブ１９と接続されている。情報端子部３３は、電源プレート１の識別情報などを出力する情報出力用の端子であり、端子板２０に実装された半導体チップと接続されている。また、情報端子部３３は、電源プレートの識別情報を電源プレートに出力することにより、後述する認証処理が電子機器との間で行われる。
【００３５】
かかる電源プレート１は、開口部２５を挿通したケーブル３を保持部１５で保持した後、下ハーフ１１の前面壁１１ａに挿通、保持されている正極タブ１８及び負極タブ１９の各接合板部１８ａ，１９ａと、ケーブル３の正極導線及び負極導線とを半田などで接合する。次いで、前面壁１１ａの前面側に突出されている正極タブ１８及び負極タブ１９の溶接板部１８ｂ，１９ｂと、端子板２０の溶接板とを重ね、スポット溶接などにより溶接する。これにより端子板２０の正極端子部３１と正極タブ１８とが接続され、負極端子部３２と負極タブ１９とが接続される。
【００３６】
次いで、溶接板部１８ｂ，１９ｂを折り曲げることにより端子板２０を前面壁１１ａの前面側に当接させる。最後に上ハーフ１０と下ハーフ１１とをネジ１３で接続する。これにより電源プレート１は、上ハーフ１０に形成された端子孔１２より、端子板２０の正極端子部３１、負極端子部３２及び情報端子部３３が臨まされる。また端子板２０は、下ハーフ１１の前面壁１１ａと上ハーフ１０の前面壁１０ａとに挟持されることによって位置が固定される。また端子板２０は、各端子部３１〜３３が押圧された場合にも、当該押圧力が下ハーフ１１の前面壁１１ａによって受け止められることから、端子位置がずれることもない。
【００３７】
次いで、電源プレート１が用いられる電子機器のバッテリ収納部について説明する。この電子機器は、例えば図７（ａ）及び図７（ｂ）に示すようなデジタルスチルカメラ４０であり、図８に示すように、一側面に二次電池や電源プレート１が挿入されるバッテリ収納部４１が形成されている。バッテリ収納部４１は、デジタルスチルカメラ４０の一側面の下部に凹面部４３が形成され、この凹面部４３に二次電池や電源プレート１のサイズに応じた略矩形状の収納凹部４４と、ケーブル３を導出する導出孔４５とが形成されている。
【００３８】
収納凹部４４は、最深部に正極端子接続部、負極端子接続部、情報端子接続部及び排出用の付勢部材などが設けられている。また収納凹部４４は、電池蓋４２によって開閉される。
【００３９】
導出孔４５は、凹面部４３の収納凹部４４と隣接して設けられキャップ４６によって閉塞されている。キャップ４６は、弾性部材によって形成され、一辺を片持ち梁状にデジタルスチルカメラ４０に支持されることにより、電池蓋４２側を自由端とされている。そして導出孔４５は、電源プレート１が収納凹部４４に収納されると（図２参照）、図９に示すように、キャップ４６が外側に撓んで開放され、ケーブル３を外部に導出させることができる。
【００４０】
デジタルスチルカメラ４０は、二次電池を用いる場合には、バッテリ収納部４１に二次電池を収納した後、詳細を省略する係止片によって二次電池をバッテリ収納部４１内に保持し、電池蓋４２が閉められる。このときデジタルスチルカメラ４０は、キャップ４６が閉塞されることにより電池蓋４２と面一とされているため、収納凹部４４が完全に閉塞される。
【００４１】
また電源プレート１のプレート本体２をデジタルスチルカメラ４０のバッテリ収納部４１内に収納する際には、まず、導出部１７によって、バッテリ収納部４１に形成された導出孔４５の形成方向に応じてケーブル３の導出方向を変える。具体的に、図２及び図９に示すように、デジタルスチルカメラ４０のバッテリ収納部４１内へ収納する場合には、図１０に示すように、ケーブル３を一方の角部２ａ側に導出させる。
【００４２】
そして電源プレート１は、プレート本体２を収納凹部４４に収納すると共に、ケーブル３を導出孔４５より導出する。このときデジタルスチルカメラ４０は、キャップ４６が外方に撓まされることで、ケーブル３を外方に導出させている。その後、電源プレート１は、接続コネクタ５を介してＡＣ／ＤＣコンバータ４に接続されるとともに、ＡＣ／ＤＣコンバータ４に家庭内などにあるコンセントに接続されるコード６が接続されることにより、電源と接続される。これにより電源プレート１は、家庭用電源からデジタルスチルカメラ４０側に電力を供給することができ、バッテリの残電力量を気にすることなく連続してデジタルスチルカメラ４０を駆動させることができる。
【００４３】
電源プレート１は、導出部１７によってケーブル３の導出方向がデジタルスチルカメラ４０の導出孔４５の位置に応じて角部２ａ方向に規制されているため、バッテリ収納部４１内に収納された場合にも、ケーブル３に捻れや屈曲などをおこすことなく外部へ導出させることができる。したがって電源プレート１は、ケーブル３やバッテリ収納部４１の破損や過剰な負荷などの不具合を防止しながら家庭用電源を供給することができる。
【００４４】
また電源プレート１は、バッテリ収納部４１を同じ規格で形成された他の電子機器に用いる場合には、当該他の電子機器に形成されたケーブル３の導出孔に応じて、ケーブル３の導出方向を変える。例えば、図１１に示すデジタルスチルカメラ４７のバッテリ収納部に収納する場合には、ケーブル３の導出孔４８に応じて図１２に示すように、ケーブル３を他方の角部２ｂ側に導出させる。これにより電源プレート１は、ケーブル３に捻れや屈曲などをおこすことなく、デジタルスチルカメラ４７のバッテリ収納部にも収納することができる。
【００４５】
このように電源プレート１は、異なる機種のバッテリ収納部に収納することができるとともに、各機種毎に設けられたケーブルの導出孔に応じて、プレート本体２からのケーブル３の導出方向を変えることができ無理なくケーブル３を導出させることができるため、各機種毎に電源プレートを用意する必要がない。したがって、例えば量販店などで複数の異なる機種を店頭展示する場合など長時間に亘って電力の供給を必要とする場合に、電源プレートを機種毎に用意する必要が無く、また電源プレートの入れ間違いなども防止できる。
【００４６】
なお、本発明は、上述した電源プレート１のように、導出部が分岐部によってプレート本体の背面側の両角部２ａ，２ｂに分岐されるのみならず、例えば図１３に示すように、分岐部によって、両角部２ａ，２ｂに加えて背面方向へ導出させるようにしてもよい。
【００４７】
この場合、分岐部には下ハーフ１１の背面壁１１ｂとの間に導出路１６ａ，１６ｂが形成され、さらに開口部２５と対峙するように第３の導出路１６ｃが形成される。この第３の導出路１６ｃにも、挟持片２７ａ又は２７ｂを形成することができる。
【００４８】
かかる第３の導出路１６ｃが形成された導出部１７を備えることにより、本発明が適用された電源プレートは、ケーブル３の導出方向の選択肢を増やすことができ、さらにバッテリ収納部に形成されたケーブル導出孔の位置が異なる複数の電子機器間で共用することができる。
【００４９】
＜電源プレートと電子機器との間で行われる認証処理＞
次に、本発明に係る電源プレートと、この電源プレートのプレート本体が収納されて電力が供給される電子機器との間で行われる認証処理について説明する。
【００５０】
認証処理を行うために、電源プレート１及びデジタルスチルカメラ４０は、図１４に示すような構成を備える。
【００５１】
すなわち、電源プレート１のプレート本体２は、電源プレートの識別情報を、デジタルスチルカメラ４０に出力する情報出力部６０を備える。ここで、電源プレートの識別情報とは、出荷時などに予めこの情報出力部６０にアクセス可能なメモリ６１上に記録された情報であり、特定の電子機器の機種に対応して設定された情報である。なお、本実施形態では、上述したデジタルスチルカメラ４０、４７などが、このような対応関係を有する電子機器に該当する。換言すれば、この電源プレートの識別情報は、デジタルスチルカメラ４０、４７にとって、正規品の電源プレートである旨を示す情報である。
【００５２】
この情報出力部６０及び電子プレートの識別情報が記憶されたメモリ６１は、端子板２０に実装されている半導体チップに組み込まれている。そして、この情報出力部６０は、家庭電源などから半導体チップに電力が供給されることにより起動し、メモリ６１から電源プレートの識別情報を読み出して、この電源プレートの識別情報を情報端子部３３から外部へ出力する。
【００５３】
具体的には、プレート本体２は、以下に示すような回路構成を有している。なお、プレート本体２の説明に先立ち、まず、従来例として、デジタルスチルカメラ４０のバッテリ収納部４１に接続されるバッテリパック１００の電源回路の構成について図１５（Ａ）を参照して説明する。
【００５４】
バッテリパック１００には、図１５（Ａ）に示すように、化学反応によって起電力を発生するバッテリセル１０１と、このバッテリセル１０１の充放電を制御するとともに、このバッテリの識別情報や残電力量情報などをデジタルスチルカメラ４０へ出力するバッテリ制御部１０２と、バッテリセル１０１の正極側の外部出力端である正極端子１０３と、バッテリセル１０１の負極側の外部出力端である負極端子１０４と、このバッテリ制御部１０２から出力される情報を外部へ出力する情報出力端子１０５と、バッテリセル１０１が過放電状態となるのを防止する放電制御回路１０６と、バッテリセル１０１が過充電状態となるのを防止する充電制御回路１０７とを備えている。
【００５５】
バッテリセル１０１は、その正極側が、分岐Ａを介してバッテリ制御部１０２及び正極端子１０３にそれぞれ接続される。また、バッテリセル１０１は、その負極側が、分岐Ｂを介してバッテリ制御部１０２及び負極端子１０４にそれぞれ接続される。
【００５６】
放電制御回路１０６は、分岐Ｂと負極端子１０４との間に直列に接続される回路である。この放電制御回路１０６は、バッテリ制御部１０２によってオンオフ制御されるスイッチ１０６ａと、ダイオード１０６ｂとが並列に接続された回路から構成される。このダイオード１０６ｂは、バッテリセル１０１の放電方向に対して逆方向バイアスをかけるように配置される。
【００５７】
放電制御回路１０６は、通常、スイッチ１０６ａがオンにされ、バッテリセル１０１が過放電状態に近づくとバッテリ制御部１０２によってスイッチ１０６ａがオフにされ、バッテリセル１０１が過放電状態になるのを防止する。また、放電制御回路１０６は、過放電を防止するためにスイッチ１０６ａがオフになっても、ダイオード１０６ｂを介して充電方向に電流を流すことができ、スイッチ１０６ａがオフの状態で、バッテリセル１０１を過放電状態に近い状態から充電させ、通常の動作状態へ復帰させることができる。
【００５８】
充電制御回路１０７は、放電制御回路１０６と同様に、分岐Ｂと負極端子１０４との間に直列に接続される回路である。この充電制御回路１０７は、バッテリ制御部１０２によってオンオフ制御されるスイッチ１０７ａと、ダイオード１０７ｂとの並列回路から構成される。ここで、このダイオード１０７ｂは、バッテリセル１０１の放電方向に対して順方向バイアス、換言すれば、充電方向に対して逆方向バイアスをかけるように配置される。
【００５９】
充電制御回路１０７は、通常、バッテリ制御部１０２によってスイッチ１０７ａがオンにされ、バッテリセル１０１が過充電状態に近づくとバッテリ制御部１０２によってスイッチ１０７ａがオフにされ、バッテリセル１０１が過充電状態になるのを防止する。また、充電制御回路１０７は、過充電を防止するためにスイッチ１０７ａがオフになっても、ダイオード１０７ｂを介して放電方向に電流を流すことができ、オフになったスイッチ１０７ａをオンにしなくても、バッテリセル１０１を過放電状態に近い状態から放電させ、通常の動作状態へ復帰させることができる。
【００６０】
これに対して、本実施形態の電源プレート１のプレート本体２は、図１５（Ｂ）に示すように、デジタルスチルカメラ４０への電源供給を制御するプレート制御部６２と、ＡＣ／ＤＣコンバータ４の正極端に接続される正極接続端子６３と、このＡＣ／ＤＣコンバータ４の負極端に接続される負極接続端子６４と、放電制御回路６５とを備えている。
【００６１】
プレート制御部６２は、上述した情報出力部６０とメモリ６１との機能を含む処理部であって、プレートの識別情報などを情報端子部３３を介してデジタルスチルカメラ４０へ出力する。
【００６２】
このプレート本体２において、正極接続端子６３は、分岐Ｃを介してプレート制御部６２と、正極端子部３１とにそれぞれ接続される。また、このプレート本体２において、負極接続端子６４は、分岐Ｄを介してプレート制御部６２と、負極端子部３２とにそれぞれ接続される。
【００６３】
放電制御回路６５は、分岐Ｄと負極端子部３２との間に直列に接続される回路である。この放電制御回路６５は、プレート制御部６２によってオンオフ制御されるスイッチ６５ａと、ダイオード６５ｂとの並列回路から構成される。ここで、このダイオード６５ｂは、逆方向バイアスをかけるように配置される。放電制御回路６５は、通常、スイッチ６５ａがオンにされ、ＡＣ／ＤＣコンバータ４からの供給電源が過電流状態や過電圧状態に近づくとプレート制御部６２によってスイッチ６５ａがオフにされる。なお、ＡＣ／ＤＣコンバータ４の内部に過電流状態や過電圧状態を防止する放電制御回路を設けていれば、プレート本体２は、放電制御回路６５を備えなくても良い。
【００６４】
上述した従来例としたバッテリパック１００と比較した場合、プレート本体２は、バッテリセルが過放電状態や過充電状態となるのを防止する回路を設ける必要がないため、回路規模の簡略化を図ることができ、加えてコストを抑えることもできる。
【００６５】
次に、電源プレート１との間で認証処理を行うため、デジタルスチルカメラ４０が備える各処理部の構成について説明する。このプレート本体２を収納するデジタルスチルカメラ４０には、プレート本体２の端子板２０に形成されている正極端子部３１、負極端子部３２及び情報端子部３３に対して、それぞれ電気的に接続される正極端子接続部５１、負極端子接続部５２、及び情報端子接続部５３が、上述したようにバッテリ収納部４１の収納凹部４４の最深部に形成されている。
【００６６】
デジタルスチルカメラ４０は、そのバッテリ収納部４１にプレート本体が収納されると、正極端子接続部５１と負極端子接続部５２とから電力が供給され、また、情報端子接続部５３から電源プレートの識別情報が入力される。
【００６７】
さらに、デジタルスチルカメラ４０は、正極端子接続部５１と負極端子接続部５２とから電力が供給され、後述するカメラ処理主要部５６への電力供給を制御する電源制御部５４と、情報端子接続部５３に入力された電源プレートの識別情報に基づいて、後述する認証処理を行う認証処理部５５と、デジタルスチルカメラ４０の主要動作を行うカメラ処理主要部５６とを備えている。
【００６８】
電源制御部５４は、電源プレート１のプレート本体２がバッテリ収納部４１に収納されると、プレート本体２からの電力供給を受けて、認証処理部５５を起動させる。そして、電源制御部５４は、認証処理部５５で行われる認証結果に応じて、カメラ処理主要部５６へ電力を供給するか否かの制御を行う。
【００６９】
認証処理部５５は、電源制御部５４によって起動されると、情報端子接続部５３に入力された電源プレートの識別情報に基づいて認証処理を行って、認証結果を電源制御部５４に供給する。また、認証処理部５５には、電子機器の識別情報が記憶されたメモリ５５ａとアクセス可能に接続されている。ここで、電子機器の識別情報は、出荷時などにおいて予めメモリ５５ａに記録された情報であり、後述する認証処理において上述した正規品の対応関係を有する電源プレートの識別情報との間で照合される。
【００７０】
カメラ処理主要部５６は、デジタルスチルカメラ４０の主要動作を行う複数の処理部から構成され、具体的には、被写体像を撮像する撮像処理手段、撮像した画像をデータ化する画像処理手段、画像データを記憶する記憶手段、画像データを表示する表示手段、及び、ユーザがこれらの各処理手段への操作命令を行うユーザインタフェース手段などから構成される。
【００７１】
次に、電源制御部５４及び認証処理部５５を中心として行われる認証処理の処理工程に関して、図１６を参照して説明する。
【００７２】
以下に示す認証処理の前提として、電源プレート１のプレート本体２がデジタルスチルカメラ４０のバッテリ収納部４１に収納され、このプレート本体２の端子板２０の正極端子部３１、負極端子部３２、及び情報端子部３３が、バッテリ収納部４１に形成されている正極端子接続部５１、負極端子接続部５２、及び情報端子接続部５３と電気的に接続されているものとする。
【００７３】
そして、電源制御部５４は、電源プレート１から供給される電力によって起動すると、認証処理部５５に電力を供給して起動させ、以下に示す認証処理が開始される。
【００７４】
なお、電源制御部５４及び認証処理部５５は、デジタルスチルカメラ４０に設けられたプロセッサによって実現されるものであって、このプロセッサが以下に示すフローチャートに基づいたプログラムを実行することによって、次に示す認証処理が行われる。
【００７５】
ステップＳ１１において、認証処理部５５は、情報端子接続部５３から電源プレートの識別情報が供給されたか否かを検出する。具体的に、認証処理部５５は、起動した時点から所定の時間内において、電源プレートの識別情報が供給されたか否かを判断して、検出されたときにはステップＳ１２へ進み、検出されなかったときにはステップＳ１４へ進む。
【００７６】
ステップＳ１２において、認証処理部５５は、供給された電源プレートの識別情報に基づいて、次に示すような認証処理を行う。すなわち、認証処理部５５は、メモリ５５ａから電子機器の識別情報を読み出して、この電子機器の識別情報と供給された電源プレートの識別情報とを照合して、ステップＳ１３へ進む。
【００７７】
ステップＳ１３において、認証処理部５５は、電子機器の識別情報と電源プレートの識別情報との照合結果により、認証が成功したか否かを判断し、認証が成功したときにはステップＳ１５へ進み、認証が成功しなかったときはステップＳ１４へ進む。
【００７８】
ステップＳ１４において、認証処理部５５は、認証が失敗した認証結果を電源制御部５４に供給する。そして、電源制御部５４は、この認証結果において、カメラ処理主要部５６の表示手段に表示するなどすることによってユーザに提示して、その後、カメラ処理主要部５６への電力供給を禁止する。
【００７９】
なお、本処理工程では、前提としてバッテリ収納部４１に電源プレート１のプレート本体２が収納されたこととして、以上の処理工程が行われるが、バッテリ収納部４１にバッテリが収納された際にも同様の認証処理が行われる。すなわち、認証処理部５５は、電子機器の識別情報とバッテリの識別情報との間で照合処理を行って、認証が成功したときにはステップＳ１５へ進み、認証が成功しなかったときにはステップＳ１４へ進む。
【００８０】
ステップＳ１５において、認証処理部５５は、電源プレートの識別情報及びバッテリの識別情報に基づいて、プレート本体２がバッテリ収納部４１に収納されているか否かを判断して、プレート本体２が収納されているときにステップＳ１７へ進み、プレート本体２が収納されていないときにステップＳ１６へ進む。すなわち、本処理において、デジタルスチルカメラ４０のバッテリ収納部４１に、プレート本体２が収納されているときにはステップＳ１７へ進み、バッテリが収納されているときにはステップＳ１６へ進む。
【００８１】
ステップＳ１６において、認証処理部５５は、バッテリ収納部４１にバッテリが収納されている旨の認証情報を電源制御部５４へ供給する。そして、電源制御部５４は、このバッテリが収納されている旨の認証情報の供給に応じて、次に示すようなバッテリモードに従って、カメラ処理主要部５６へ電力を供給する。
【００８２】
本実施形態において、バッテリモードは、デジタルスチルカメラ４０がバッテリで駆動するのに適して設定された動作モードである。具体的には、このバッテリモードに従って、カメラ処理主要部５６の各処理手段が次のように動作する。図１７（Ａ）に示すように、デジタルスチルカメラ４０は、カメラ処理主要部５６のうち、表示手段としてディスプレイ７０と、ユーザインタフェース手段としてデジタルスチルカメラ４０の筐体に複数の操作入力部８０とを備えている。この図を参照してバッテリモードに応じた動作について以下のように説明する。
【００８３】
第１の動作として、電源制御部５４は、バッテリモードに従って、所定の待機時間内にユーザによって操作入力部からの入力がないときに、この機器の駆動を停止するオートパワーオフ機能を有効にする。ここで、このオートパワーオフ機能の処理手段は、本発明に係る停止制御手段として、本実施形態では電源制御部５４に組み込まれているものとする。
【００８４】
第２の動作として、電源制御部５４は、バッテリモードに従って、例えばディスプレイ７０の右上端部７１にバッテリの残電力量情報を表示する。ここで、バッテリの残電力量情報は、バッテリに設けられた情報端子から出力される情報であって、バッテリ収納部４１に形成されている情報端子接続部５３を介して入力され、カメラ処理主要部５６によって表示処理される。
【００８５】
第３の動作として、電源制御部５４は、バッテリモードに従って、ディスプレイ７０の表示出力を省電力表示モードに設定する。ここで、本実施形態において、省電力表示モードとは、できるだけデジタルスチルカメラ４０の長時間動作を図るために電力消費量を抑制する動作モードである。具体的には、ディスプレイ７０は、省電力表示モードに従って、低照度表示すなわち彩度値及び明度値を低い値にして画像を出力したり、操作入力部８０に所定時間内に何も入力されなかったときに彩度値及び明度値を低い値にして画像を出力する。
【００８６】
ステップＳ１７において、認証処理部５５は、電源プレートの識別情報に基づいて、バッテリ収納部４１に収納されたプレート本体２の電源プレート１が、後述する拡張型電源プレートであるか否かを判断して、拡張型電源プレートでないとき、すなわち通常の電源プレートであるときにはステップＳ１８へ進み、拡張型電源プレートであるときにはステップＳ１９へ進む。
【００８７】
ステップＳ１８において、認証処理部５５は、バッテリ収納部４１に通常の電源プレートのプレート本体が収納されている旨の認証情報を電源制御部５４へ供給する。そして、電源制御部５４は、この認証情報の供給に応じて、次に示すような電源プレートモードに従って、カメラ処理主要部５６への電力供給を開始して、電源プレートの識別情報に基づいた認証処理を終了する。
【００８８】
本実施形態において、電源プレートモードは、デジタルスチルカメラ４０がバッテリの残電力量を気にすることなく電力を消費して駆動する動作モードである。具体的には、カメラ処理主要部５６の各処理手段は、電源プレートモードに従って、次のように動作する。なお、図１７（Ｂ）に示すように、デジタルスチルカメラ４０は、表示手段としてディスプレイ７０と、ユーザインタフェースとしてデジタルスチルカメラ４０の筐体に複数の操作入力部８０とを備えている。この図を参照して電源プレートモードに応じた動作について説明する。
【００８９】
第１の動作として、電源制御部５４は、電源プレートモードに従って、オートパワーオフ機能を無効にする。
【００９０】
第２の動作として、電源制御部５４は、電源プレートモードに従って、上述したバッテリモードの駆動時に表示される残電力量情報の表示を行わない。
【００９１】
第３の動作として、電源制御部５４は、電源プレートモードに従って、例えば、ディスプレイ７０の表示出力を高照度表示モードに設定する。ここで、高照度表示モードは、電力消費量を抑制せずにディスプレイ７０に画像を表示させる動作モードである。すなわち、ディスプレイ７０は、高照度表示モードに従って、バッテリモードの駆動時におけるディスプレイの表示出力と比べてその彩度値及び明度値を高い値にして画像を出力したり、操作入力部８０からの操作入力が無くても常に彩度値及び明度値を高い値に保って画像を出力する。ディスプレイ７０は、高照度表示モードで画像を表示することにより、例えば店頭表示用として、バッテリモードの駆動時における低照度表示に比べて、より見やすく、より美感を与える表示画像を、ユーザや顧客などに対して提供することができる。
【００９２】
ステップＳ１９において、認証処理部５５は、バッテリ収納部４１に拡張型の電源プレートのプレート本体が収納されている旨の認証情報を電源制御部５４へ供給する。そして、電源制御部５４は、この認証情報の供給に応じて、次に示すような拡張型電源プレートモードに従って、カメラ処理主要部５６への電力供給を開始して、電源プレートの識別情報に基づいた認証処理を終了する。
【００９３】
本実施形態において、拡張型電源プレートモードは、電源プレートの識別情報に加えて、情報端子接続部５３に入力される拡張機能情報に応じたデジタルスチルカメラ４０の動作モードである。電源制御部５４は、この拡張型電源プレートモードに従って、具体的には次に示すような拡張機能を有効にして、カメラ処理主要部５６を動作させる。
【００９４】
第１の機能として、電源制御部５４は、拡張機能情報に応じて、カメラ処理主要部５６のファームウェアを書き換えて、このファームウェアの機能をバージョンアップする。
【００９５】
第２の機能として、電源制御部５４は、拡張機能情報に応じて、消費電力が非常に大きいためバッテリモードを含め通常の動作では行わない高消費電力撮影機能を有効にしてカメラ処理主要部５６の撮像処理手段を制御する。ここで、高消費電力撮影機能とは、例えば、ストロボへの急速充電、ストロボによるフラッシュの連続照射機能、固体撮像素子へより高い電圧を印加させることにより受光感度を増加させて低照度の撮像を可能とする低照度撮影機能、長時間動画像を撮像する長時間タイマ撮像機能、及び、ストロボの長時間露光機能などである。
【００９６】
拡張型電源プレートは、電源プレートの識別情報に加えて、拡張機能情報を、デジタルスチルカメラ４０へ供給することによって、バッテリ駆動では消費電力が非常に大きいために通常組み込まれていない機能を用いて、上述した高消費電力撮影機能を有効にして被写体像を撮像することができる。
【００９７】
以上のように、本実施形態では、デジタルスチルカメラ４０のバッテリ収納部４１にプレート本体２が収納された電源プレート１から出力される電源プレートの識別情報に基づいて、バッテリ又は電源プレート１のプレート本体２のいずれか一方がバッテリ収納部４１に収納されたかを判断し、この判断結果に応じて、電力の供給を制御するので、デジタルスチルカメラ４０などの電子機器に接続されるバッテリ及び電源プレートが正規品であるか否かの認証を精度良く行うことができる。
【００９８】
また、従来では、バッテリと電源プレートとに、それぞれの筐体に互いを識別するための判別溝を設けたり、電子機器の収納部にバッテリ又は電源プレートが収納されたときのみに押圧されるスイッチを設けることでバッテリ又は電源プレートが収納されたことを判断していた。これに対して、本実施形態では、バッテリの識別情報及び電源プレートの識別情報を用いて、バッテリと電源プレート１のプレート本体２のいずれか一方がバッテリ収納部４１に収納されたか否かを判断するので、上述した従来の認証方法に比べて、バッテリ、電源プレート１のプレート本体２、及びバッテリ収納部４１の各形状の制約が緩和される。したがって、本実施形態では、従来に比べてよりバッテリのサイズを大きくすることでその電力容量を増加させたり、判別可能な種類が増加することができる。
【００９９】
さらに、本実施形態に係る電源プレート１は、電源プレートの識別情報をデジタルスチルカメラ４０に出力する情報出力部６０を有していれば、いかなる形状のものを用いるようにしても良いが、上述したように、デジタルスチルカメラ４０に形成された導出孔の位置に応じて電源プレート１のケーブル３の導出方向を変える複数の導出路１６が設けられているものと組み合わせることによって、次のような利点がある。
【０１００】
まず、導出路が形成された導出部を備えることにより、本発明が適用された電源プレートは、ケーブルの導出方向の選択肢を増やすことができ、バッテリ収納部に形成されたケーブル導出孔の位置が異なる複数の電子機器間で共用することができるものである。しかしながら、このような電源プレートは、たとえケーブル導出孔の位置が異なる複数の電子機器間で共用することができたとしても、収納部の形状が多数の機種間で統一されていなければ、より多くの機種に対応させて使用することができない。
【０１０１】
ここで、本実施形態に係る電源プレートは、電源プレートの識別情報に応じた認証処理を電子機器に行わせるため、収納部形状が多数の機種間で統一されても、安全性を損なうことなく電力供給を行うことができる。
【０１０２】
つまり、本実施形態に係る電源プレートは、電源プレートの識別情報を出力する情報出力部と、電子機器に形成された導出孔の位置に応じてケーブルの導出方向を変える複数の導出路とを有することにより、正規品であるか否かの認証を精度良く行うことができるとともに、より多くの電子機器の機種に対して電力供給を行うことができる。
【０１０３】
なお、本発明は、以上の実施形態のみに限定されるものではなく、本発明の要旨を逸脱しない範囲内において種々の変更が可能であることは勿論である。
【図面の簡単な説明】
【０１０４】
【図１】本発明が適用された電源プレートを示す斜視図である。
【図２】本発明が適用された電源プレートの使用状態を示す斜視図である。
【図３】本発明が適用された電源プレートを示す分解斜視図である。
【図４】本発明が適用された電源プレート底面側から示す斜視図である。
【図５】ケーブルの導出方向を示す底面図である。
【図６】挟持片を示す斜視図である。
【図７】本発明が適用された電源プレートが用いられるデジタルスチルカメラを示す斜視図である。
【図８】バッテリ収容部を示す斜視図である。
【図９】バッテリ収容部に電源プレートが収容されたデジタルスチルカメラを示す斜視図である。
【図１０】ケーブルを一方の角部側から導出させている電源プレートを示す底面図である。
【図１１】本発明が適用された電源プレートが用いられる他のデジタルスチルカメラを示す斜視図である。
【図１２】ケーブルを他方の角部側から導出させている電源プレートを示す底面図である。
【図１３】プレート本体の背面方向に向かう第３の導出路を備えた電源プレートを示す底面図である。
【図１４】認証処理を行うために、デジタルスチルカメラ及び電源プレートが備える構成について説明した概略図である。
【図１５】図１５（Ａ）は従来のバッテリが備える電源供給回路を示す概略図であり、図１５（Ｂ）は本発明が適用された電源プレートのプレート本体内部の電源供給回路を示す概略図である。
【図１６】認証処理部及び電源制御部が中心として行われる認証処理工程を示すフローチャートである。
【図１７】図１７（Ａ）はバッテリモード駆動時におけるカメラ処理主要部の動作の説明に供する図であり、図１７（Ｂ）は電源プレートモード駆動時におけるカメラ処理主要部の動作の説明に供する図である。
【符号の説明】
【０１０５】
１  電源プレート、２  プレート本体、２ａ，２ｂ  角部、３  ケーブル、４  ＡＣ／ＤＣコンバータ、５  接続コネクタ、６  コード、１０  上ハーフ、１０ａ  前面壁、１１  下ハーフ、１１ａ  前面壁、１１ｂ  背面壁、１２  端子孔、１３  ネジ、１５  保持部、１６ａ，１６ｂ，１６ｃ  導出路、１７  導出部、１８  正極タブ、１９  負極タブ、１８ａ，１９ａ  接合板部、１８ｂ、１９ｂ  溶接板部、２０  端子板、２２  支持壁、２３  嵌合片、２４  導出領域、２５  開口部、２６  分岐部、２６ａ，２６ｂ  側壁、２７ａ，２７ｂ  狭持片、２８，２９  膨出部、３０  支持凹部、３１  正極端子部、３２  負極端子部、３３  情報端子部、４０，４７  デジタルスチルカメラ、４１  バッテリ収納部、４２  電池蓋、４３  凹面部、４４  収納凹部、４５，４８  導出孔、４６  キャップ、５１  正極端子接続部、５２  負極端子接続部、５３  情報端子接続部、５４  電源制御部、５５  認証処理部、５５ａ  メモリ、５６  カメラ処理主要部、６０  情報出力部、６１  メモリ、６２  プレート制御部、６３  正極接続端子、６４  負極接続端子、６５  放電制御部、６５ａ、１０６ａ、１０７ａ  スイッチ、６５ｂ、１０６ｂ、１０７ｂ  ダイオード、７０  ディスプレイ、７１  右上端部、８０  操作入力部、１００  バッテリ、１０１  バッテリセル、１０２  バッテリ制御部、１０３  正極端子、１０４  負極端子、１０５  情報出力端子、１０６  放電制御回路、１０７  充電制御回路
【図１】
2008146166.tif 000003
【図２】
2008146166.tif 000004
【図３】
2008146166.tif 000005
【図４】
2008146166.tif 000006
【図５】
2008146166.tif 000007
【図６】
2008146166.tif 000008
【図７】
2008146166.tif 000009
【図８】
2008146166.tif 000010
【図９】
2008146166.tif 000011
【図１０】
2008146166.tif 000012
【図１１】
2008146166.tif 000013
【図１２】
2008146166.tif 000014
【図１３】
2008146166.tif 000015
【図１４】
2008146166.tif 000016
【図１５】
2008146166.tif 000017
【図１６】
2008146166.tif 000018
【図１７】
2008146166.tif 000019
【手続補正書】
【提出日】平成19年11月1日(2007.11.1)
【手続補正１】
【補正対象書類名】明細書
【補正対象項目名】００１２
【補正方法】変更
【補正の内容】
【００１２】
従来の電子機器では、共用収納部に電源プレートが収納されたことを、識別溝や出力端子の配置位置などで判断している。ここで、仮に電源プレートの識別溝や出力端子の配置位置に適合した構造を有するバッテリが、電子機器の共用収納部に収納されると、電子機器では電源プレートが収納されたものと判断して、このバッテリから電力供給を行うこととなる。すなわち、電子機器は、その共用収納部に、正規品でないバッテリが収納されても、電源プレートが収納されたものと判断してしまう。このため、電子機器の共用収納部の形状に専用性を施すだけでは、収納されたバッテリが正規品であるか否かの認証を精度良く行うことができない。
【手続補正２】
【補正対象書類名】明細書
【補正対象項目名】００３４
【補正方法】変更
【補正の内容】
【００３４】
前面壁１１ａに支持される端子板２０は、いわゆるリジット配線基板であり、前面側には上ハーフ１０の端子孔１２より外方に臨まされる正極端子部３１、負極端子部３２及び情報端子部３３が形成されている。正極端子部３１は、基板に形成された配線パターンにより背面側に設けられた溶接板を介して正極タブ１８と接続され、負極端子部３２は、同様に負極タブ１９と接続されている。情報端子部３３は、電源プレート１の識別情報などを出力する情報出力用の端子であり、端子板２０に実装された半導体チップと接続されている。また、情報端子部３３は、電源プレートの識別情報を電子機器に出力することにより、後述する認証処理が電子機器との間で行われる。
【手続補正３】
【補正対象書類名】明細書
【補正対象項目名】００５９
【補正方法】変更
【補正の内容】
【００５９】
充電制御回路１０７は、通常、バッテリ制御部１０２によってスイッチ１０７ａがオンにされ、バッテリセル１０１が過充電状態に近づくとバッテリ制御部１０２によってスイッチ１０７ａがオフにされ、バッテリセル１０１が過充電状態になるのを防止する。また、充電制御回路１０７は、過充電を防止するためにスイッチ１０７ａがオフになっても、ダイオード１０７ｂを介して放電方向に電流を流すことができ、オフになったスイッチ１０７ａをオンにしなくても、バッテリセル１０１を過充電状態に近い状態から放電させ、通常の動作状態へ復帰させることができる。